(57)【特許請求の範囲】
【請求項１】
外壁に凹に形成されかつ直線状に延びた凹溝が設けられた箱本体と、
前記凹溝の長手方向に沿ってスライドされることで、前記箱本体に取り付けられるとともに、該箱本体に取り付けられると前記凹溝を塞ぐサイドカバーと、を備えた電気接続箱において、
前記サイドカバーには、前記外壁と面一に形成された板部が設けられ、
前記板部には、当該板部から前記凹溝の幅方向に沿って突出した羽部が設けられ、
前記サイドカバーには、前記凹溝の幅方向に沿って突出し、互いに間隔をあけて設けられた一対の平行部と、これら一対の平行部同士を連結する連結部と、が設けられ、前記外壁には、前記一対の平行部間に侵入し、前記連結部と相対する位置に位置付けられる侵入壁が設けられ、前記侵入壁が前記一対の平行部間に侵入し、前記連結部と相対する位置に位置付けられた状態において、前記侵入壁、前記一対の平行部、及び、前記連結部により構成された部分が、前記凹溝の長手方向に沿って延在して設けられていることを特徴とする電気接続箱。
【請求項２】
前記侵入壁から前記箱本体の外方向に凸に形成された凸部が設けられ、
前記凸部は、前記一対の平行部のうち外側に設けられた一方の前記平行部の端面と相対する位置に設けられていることを特徴とする請求項１に記載の電気接続箱。
【発明の詳細な説明】
【技術分野】
【０００１】
本発明は、自動車のエンジンルーム内に取り付けられる電気接続箱に関するものである。
【背景技術】
【０００２】
移動体としての自動車には、多種多様な電子機器が搭載されている。これら多種多様な電子機器に電力を供給するために、前記自動車には、電源と前記電子機器との間の適宜箇所に、コネクタ、リレー、ヒューズ等の電気部品が集約されて構成された電気接続箱が配置されている。
【０００３】
なお、電気接続箱は、ジャンクションブロック、ヒューズブロック、リレーボックス、とも呼ばれる。本明細書では、前述したジャンクションブロック、ヒューズブロック、リレーボックスを、総称して以下電気接続箱と呼ぶ。
【０００４】
図９は、従来の電気接続箱の一部を示す斜視図である。図１０は、図９中のＶ−Ｖ線に沿う断面図である。図９に示された、従来の電気接続箱１０１は、当該電気接続箱の外郭を構成する合成樹脂製の箱本体１０２と、リレーやヒューズ等の複数の電気部品が装着されて、箱本体１０２内に取り付けられる合成樹脂製のカセットブロック１０６と、サイドカバー１０７と、を備えている。
【０００５】
上記箱本体１０２は、複数の外壁によって箱状に形成されている。また、箱本体１０２には、前記外壁から凹に形成され、かつ、直線状に延びた凹溝１０４が設けられている。上記凹溝１０４は、前述した電気部品に取り付けられて、バッテリなどの電源に接続された電線を収容する。
【０００６】
上記サイドカバー１０７は、前記凹溝１０４の長手方向に沿ってスライドされることで、前記箱本体１０２に取り付けられるとともに、該サイドカバー１０７が前記箱本体１０２に取り付けられると、当該凹溝１０４を塞いでいる。（例えば、特許文献１を参照）。
【先行技術文献】
【特許文献】
【０００７】
【特許文献１】実開２０１０−４１４８０８号公報
【発明の開示】
【発明が解決しようとする課題】
【０００８】
ところで、従来の電気接続箱１０１が取り付けられた前記エンジンルームは、例えば、８ＭＰａ〜１２ＭＰａに加圧された水などをかけられることによって洗われる（所謂高圧洗浄される）ことがある。このように電気接続箱１０１は、高圧洗浄されると、該高圧洗浄の際に用いられる水が、直線状に形成された前記凹溝１０４とサイドカバー１０７との隙き間を前記凹溝１０４の長手方向に沿ってかけ上がり、箱本体１０２内に浸入してしまう虞れがあった。
【０００９】
そこで、本発明は、上記のような問題点に着目し、自動車が高圧洗浄された際においても、防水性を確保した電気接続箱を提供することを目的とする。
【課題を解決するための手段】
【００１０】
請求項１に記載の本発明は、外壁に凹に形成されかつ直線状に延びた凹溝が設けられた箱本体と、前記凹溝の長手方向に沿ってスライドされることで、前記箱本体に取り付けられるとともに、該箱本体に取り付けられると前記凹溝を塞ぐサイドカバーと、を備えた電気接続箱において、前記サイドカバーには、前記外壁と面一に形成された板部が設けられ、前記板部には、当該板部から前記凹溝の幅方向に沿って突出した羽部が設けられ、前記サイドカバーには、前記凹溝の幅方向に沿って突出し、互いに間隔をあけて設けられた一対の平行部と、これら一対の平行部同士を連結する連結部と、が設けられ、前記外壁には、前記一対の平行部間に侵入し、前記連結部と相対する位置に位置付けられる侵入壁が設けられ、前記侵入壁が前記一対の平行部間に侵入し、前記連結部と相対する位置に位置付けられた状態において、前記侵入壁、前記一対の平行部、及び、前記連結部により構成された部分が、前記凹溝の長手方向に沿って延在して設けられていることを特徴とする。
【００１２】
請求項２に記載の本発明は、請求項１に記載の本発明において、前記侵入壁から前記箱本体の外方向に凸に形成された凸部が設けられ、前記凸部は、前記一対の平行部のうち外側に設けられた一方の前記平行部の端面と相対する位置に設けられていることを特徴とする。
【発明の効果】
【００１３】
請求項１に記載の本発明によれば、外壁に凹に形成されかつ直線状に延びた凹溝が設けられた箱本体と、前記凹溝の長手方向に沿ってスライドされることで、前記箱本体に取り付けられるとともに、該箱本体に取り付けられると前記凹溝を塞ぐサイドカバーと、を備えた電気接続箱において、前記サイドカバーには、前記外壁と面一に形成された板部が設けられ、前記板部には、当該板部から前記凹溝の幅方向に沿って突出した羽部が設けられているので、自動車が高圧洗浄された際においても、前記羽部が、前記サイドカバーと前記凹溝との隙き間を前記凹溝の長手方向に沿ってかけ上がる水などの液体をはねかえすこととなり、よって、前記箱本体内に前記水が侵入することを防止することとなり、よって、自動車が高圧洗浄された際においても、防水性を確保した電気接続箱を提供することができる。
【００１４】
また、前記サイドカバーには、前記凹溝の幅方向に沿って突出し、互いに間隔をあけて設けられた一対の平行部と、これら一対の平行部同士を連結する連結部と、が設けられ、前記外壁には、前記一対の平行部間に侵入し、前記連結部と相対する位置に位置付けられる侵入壁が設けられているので、自動車が高圧洗浄された際に、加圧された水は、まず、侵入壁にぶつかり（突き当たり）、該侵入壁に突き当たることで勢いが低減された後の前記水は、前記連結部に突き当たり、該連結部に突き当たることで勢いが低減された後の前記水は、前記一対の平行部のうち内側に位置する他方の平行部に突き当たることとなり、該他方の平行部に突き当たることで、前記水の勢いが低減されることとなり、よって、前記水の勢いを低減させる（なくす）ことで、前記水が箱本体２内に侵入することを防止することとなり、よって、より一層、防水性の強化を図ることができる。
【００１５】
請求項２に記載の本発明によれば、前記侵入壁から凸に形成された前記箱本体の外方向
に凸部が設けられ、前記凸部は、前記一対の平行部のうち外側に設けられた一方の前記平
行部の端面と相対する位置に設けられているので、前記凸部が、前記侵入壁と前記一方の
平行部との隙き間を覆うこととなり、よって、水などの液体が箱本体内に侵入することを
防止することとなり、よって、より一層、防水性の強化を図ることができる。
【図面の簡単な説明】
【００１６】
【図１】本発明の一実施の形態にかかる電気接続箱を示す斜視図である。
【図２】図１に示された電気接続箱の一部を示す斜視図である。
【図３】図２中のＩＩ−ＩＩ線に沿う断面を示す斜視図である。
【図４】図３に示された要部を拡大して示す斜視図である。
【図５】図１に示された電気接続箱を構成するサイドカバーの斜視図である。
【図６】図２中のＩ−Ｉ線に沿う断面を示す斜視図である。
【図７】図２中のＩＩＩ−ＩＩＩ線に沿う断面を示す斜視図である。
【図８】図７中のＩＶ−ＩＶ線に沿う断面を示す斜視図である。
【図９】従来の電気接続箱の一部を示す斜視図である。
【図１０】図９中のＶ−Ｖ線に沿う断面を示す斜視図である。
【発明を実施するための形態】
【００１７】
以下、本発明の一実施の形態にかかる電気接続箱を、図１乃至図８に基づいて説明する。図１などに示された電気接続箱１は、自動車のエンジンルームなどに取り付けられて、前記自動車に搭載された多種多様な電子部品に電力を供給するものである。また、本明細書では、ジャンクションブロック、ヒューズブロック、リレーボックスを、総称して以下電気接続箱１と呼ぶ。
【００１８】
上記電気接続箱１は、図１に示すように、当該電気接続箱の外郭を構成する合成樹脂製の箱本体２と、リレーやヒューズ等の複数の電気部品が装着され、箱本体２内に取り付けられる合成樹脂製のカセットブロック６と、サイドカバー７と、を備えている。
【００１９】
上記箱本体２は、図１に示すように、複数の外壁３０、３１によって枠状に形成された本体部３と、前記本体部３の上面２ａを覆うように該本体部３に取り付けられて前記電気部品を覆う、有底筒状に形成されたアッパーカバー（図示しない）と、前記本体部３の（前記上面２ａから離れた側の）下面に取り付けられる、有底筒状に形成されたロアカバー５と、を備えている。なお、図１においては、アッパーカバーは取り外された状態を示している。
【００２０】
上記本体部３は、絶縁性の合成樹脂からなりかつ、周知の射出成形により成形される。また、本体部３は、図１、図２に示すように、複数の外壁３０、３１と、前記外壁３１に設けられた凹溝４と、サイドカバー７の後述する一対の係止部７５それぞれが係止する一対の係止受け部３９と、を備えている。また、図１などに示された矢印Ｙは、前記カバー５が、本体部３に近付く方向、及び、凹溝４、サイドカバー７の長手方向、を示しており、矢印Ｘは、凹溝４、サイドカバー７の幅方向を示しており、矢印Ｚは、凹溝４の奥行き方向を示している。
【００２１】
上記外壁３１は、図１、図２に示すように、基壁３２と、前記基壁３２の内側に重ねられる中壁３３、前記中壁３３の内側に重ねられる内壁３４と、を備えている。また、図２に示すように、中壁３３の上面２ａ側の端部は、基壁３２から突出するように設けられ（即ち、露出しており）、内壁３４の上面２ａ側の端部は、中壁３３から突出するように設けられている（即ち、露出している）。また、中壁３３の上面２ａ側の端部（露出した部分）には、アッパーカバーが重ねられる。このように外壁３１には、複数の壁３２、３３、３４によって段差が設けられている。
【００２２】
上記基壁３２は、図２、図３に示すように、前記基壁３２の凹溝４寄りの両端部に一対設けられ、サイドカバー７に設けられた後述する板部８８、７８間に侵入する侵入壁３６と、前記侵入壁３６に設けられた複数の凸部３７、３８と、を備えている。
【００２３】
上記複数の凸部３７、３８は、図２、図３に示すように、一対の侵入壁３６それぞれに設けられている。この凸部３７、３８は、前記侵入部３６の外表面から凸に形成されている。即ち、凸部３７、３８は、箱本体２の外方向に凸に形成されている。また、複数の凸部３７、３８は、サイドカバー７に設けられた後述する第２板部８８と近接するように該第２板部８８の端面と相対する位置に設けられている。上記第１凸部３７は、一対の侵入部３６のうち一方の侵入部３６のみに設けられている。また、第１凸部３７は、凹溝４の長手方向（矢印Ｙ方向）に沿って設けられている。また、上記第２凸部３８は、互いの間にサイドガバー７の後述する一対の第２板部８８を位置付ける位置に一対設けられている。各第２凸部３８は、凹溝４の幅方向（矢印Ｘ方向）に沿って設けられている。また、一対の第２凸部３８のうち、一方の第２凸部３８は、第１凸部３７の上面２ａ側の端部に連なっている。また、上述した第１凸部３７、第２凸部３８は、特許請求項の範囲に示された「凸部」に相当する。
【００２４】
上記凹溝４は、図２、図３に示すように、外壁３１、即ち、複数の壁３２、３３、３４の外表面から凹に形成されており、前記壁３２、３３、３４と平行に設けられ、これら壁３２、３３、３４よりも奥側に設けられた底壁部４ａと、該底壁部４ａから立設し、該底壁部４ａと前記壁３２、３３、３４とを連結する一対の側壁部４ｂと、によって凹状に構成されている。また、凹溝４は、前記上面２ａから前記下面に向かう方向（矢印Ｙ）に沿って直線状に延びている。この凹溝４には、前述したヒューズ、リレー等の複数の電気部品に取り付けられて、バッテリなどの電源に接続された電線が収容される。
【００２５】
上記側壁部４ｂは、図３、図４に示すように、前記侵入壁３６（基壁３２）から奥側に立設する第１壁部４３と、前記第１壁部４３と平行に設けられ、前記第１壁部４３よりも内側に設けられた第２壁部４５と、これら壁部４３、４５を連結し、前記侵入壁３６と平行な連結壁４２と、前記内壁３４の凹溝４寄りの縁から奥側に立設した立設壁３５（図２に示す）が設けられている。
【００２６】
上記連結壁４２は、前記侵入壁３６と間隔をあけて設けられており、これら壁３６、４２間には、サイドカバー７の後述する他方の平行部としての奥側平行板部７８が侵入する。
【００２７】
上記一対の係止受け部３９は、矢印Ｘ方向に沿う互いの間に前記凹溝４を位置付ける位置に設けられている。また、一対の係止受け部３９は、本体部３の矢印Ｙ方向の中央部に設けられている。
【００２８】
上記カセットブロック６は、図２などに示すように、全体としてブロック状に形成されており、各電気部品が装着される。このようなカセットブロック６は、装着されたリレーやヒューズ等の電気部品が本体部３の上面２ａ側に位置する向きで、本体部３の内側に収容される。
【００２９】
上記サイドカバー７は、内側に一端が各種電気部品に接続された電線の他端側が通されて、該箱本体２の外部に前記電線の他端側を引き出す。また、サイドカバー７は、箱本体２の内部と外部とに亘って連通している。また、サイドカバー７は、平面形状が前述した凹溝４の平面形状と略等しい矩形状に形成されており、該サイドカバー７が箱本体２に取り付けられると、凹溝４を塞ぐとともに、壁３２、３３、３４の外表面と（略）面一となって、当該壁３２、３３、３４に連なる。
【００３０】
また、サイドカバー７は、絶縁性の合成樹脂からなり、周知の射出成形により成型される。サイドカバー７は、図５に示すように、第１部材７Ａと、前記第１部材７Ａに組み付けられるとともに、前述した凹溝４の内表面（前述した壁４ａ、４ｂの内表面）に重ねられる第２部材７Ｂと、を備えている。このように、サイドカバー７は、第１部材７Ａと第２部材７Ｂとによって分割組み立て可能に構成されている。
【００３１】
上記第１部材７Ａは、図５などに示すように、第１の浸入防止部７０と、前記第１の浸入防止部７０の下面側に連なる第１電線通し部７３と、を一体に備えている。
【００３２】
上記第１の浸入防止部７０は、図５に示すように、前述した凹溝４の底壁部４ａと対向する位置に設けられる第１の平板部８０と、前記第１の平板部８０に連なり、前述した凹溝４の側壁部４ｂと対向する位置に設けられる一対の第１の側板部７４と、前述した本体部３の各係止受け部３９それぞれに係止する一対の係止部７５と、備えている。
【００３３】
上記第１の平板部８０は、図２に示すように、複数の板部８７、８８、８１、８２、８３と、を備えている。また、第１の平板部８０の前記長手方向（矢印Ｙ）に沿う寸法は、第２部材７Ｂの後述する第２の平板部９１の寸法よりも長く（高く）形成されており、第１部材７Ａに第２部材７Ｂが組み付けられると、図２に示すように、第１の平板部８０は、第２部材７Ｂの後述する第２の平板部９１から突出するように設けられている。
【００３４】
上記第１板部８７は、サイドカバー７が本体部３（箱本体２）に取り付けられると、本体部３の前記一対の係止受け部３９間に位置付けられる。
【００３５】
上記第２板部８８は、図３、図４に示すように、前記第１板部８７と平行に設けられ、（矢印Ｘ方向の）互いの間に第１板部８７を挟む位置に一対設けられている。また、第２板部８８の外表面は、第１板部８７よりも奥側に設けられているとともに、前述した凸部３７、３８よりも奥側に設けられている。また、第２板部８８は、特許請求項の範囲に示された「一方の平行部」に相当する。
【００３６】
また、一対の第２板部８８には、図７、図８に示すように、該第２板部８８の上面２ａ側の端部から、互いに近付く方向（矢印Ｘ方向）に突出した一対の引っ掛かり部８９が設けられている。この引っ掛かり部８９は、第１板部８７の上面２ａ側の面に重ねられている。
【００３７】
上記第３板部８１は、図７に示すように、第１板部８７の上面２ａ側に連なり、前述した基壁３２と面一に設けられている。また、第３板部８１には、該第３板部８１の上面２ａ側の端部に設けられ、当該第３板部８１から前述した凹溝４の幅方向（矢印Ｘ）に沿って突出した一対の羽部８４が設けられている。上記一対の羽部８４は、前記幅方向（矢印Ｘ方向）の互いに離れる方向に沿って延びている。即ち、第３板部８１には、当該第３板部８１から、前記幅方向（矢印Ｘ方向）に沿って突出した羽部８４が設けられていることで、サイドカバー７の羽部８４が設けられた部分の前記幅方向（矢印Ｘ方向）に沿う寸法は、前記羽部８４が設けられていない第３板部８１の寸法よりも大きく（長く）形成されている。第３板部８１は、特許請求項の範囲に示された「板部」に相当する。
【００３８】
上記第４板部８２は、図６、図７に示すように、第３板部８１の上面２ａ側に連なり、前述した中壁３３と面一に設けられている。また、第４板部８２には、該第４板部８２の上面２ａ側の端部に向かうにしたがって、当該第４板部８２から、前述した凹溝４の幅方向（矢印Ｘ）に沿って突出した一対の羽部８５が設けられている。上記一対の羽部８５は、前記幅方向（矢印Ｘ方向）の互いに離れる方向に沿って延びている。即ち、第４板部８２には、当該第４板部８２から、前記幅方向（矢印Ｘ方向）に沿って突出した羽部８５が設けられていることで、サイドカバー７の羽部８５が設けられた部分の前記幅方向（矢印Ｘ方向）に沿う寸法は、前記羽部８５が設けられていない第４板部８２の寸法よりも大きく（長く）形成されている。また、サイドカバー７の羽部８５が設けられた部分の前記幅方向（矢印Ｘ方向）に沿う寸法は、サイドカバー７の前記羽部８４が設けられた部分の寸法よりも大きく（長く）形成されている。また、羽部８５の前記下面側の一部（部分）には、前述した基壁３２が重ねられる。また、第４板部８１は、特許請求項の範囲に示された「板部」に相当する。
【００３９】
上記第５板部８３は、図７に示すように、第４板部８２の上面２ａ側に連なり、前述した内壁３４と面一に設けられている。
【００４０】
上記一対の第１の側板部７４それぞれは、図５、図８などに示すように、第１立設部７７と、前記第１立設部７７に連なり、前記板部８７、８８、８１、８２、８３と平行に設けられた奥側平行板部７８と、前記奥側平行板部７８から奥側に立設し、前記第１立設部７７と平行に設けられた第２立設部７９（図４に示す）と、前記奥側平行板部７８から奥側に立設し、前記第２立設部７９よりも内側に設けられた第３立設部７６と、前記第５板部８３の前記幅方向（矢印Ｘ方向）の両縁から奥側に立設し、前述した本体部３の各立設壁３５に重ねられる一対の第４立設部７１と、第２部材７Ｂの後述するロック受け部９４に係止する一対のロック部７２と、を備えている。
【００４１】
上記第１立設部７７は、図４に示すように、前述した第１の平板部８０の板部８７、８１の前記幅方向（矢印Ｘ方向）の両端部から奥側に立設し、互いに間隔をあけて一対設けられている。また、各第１立設部７７は、特許請求項の範囲に示された「連結部」に相当し、後述する奥側平行板部７８と、前記第２板部８８と、を連結するように設けられている。また、後述する板部７８、８８間に前記侵入壁３６が侵入すると、各第１立設部７７は、該侵入壁３６と相対する位置に位置付けられる。また、一対の第１立設部７７は、前述した壁部４３、４５と平行に設けられており、各第１立設部７７は、第１板部８７から第３板部８１に亘って（矢印Ｙ方向に沿って）設けられている。
【００４２】
上記奥側平行板部７８は、図３、図４に示すように、前記第２板部８８との間に、前述
した侵入壁３６が侵入する。また、奥側平行板部７８の先端部は、前述した本体部３の壁
３６、４５間に侵入する。また、奥側平行板部７８は、特許請求項の範囲に示された「他
方の平行部」に相当する。侵入壁３６が一対の板部７８、８８（一対の平行部）間に侵入し、第１立設部７８（連結部）と相対する位置に位置付けられた状態において、侵入壁３６、一対の板部７８、８８、及び、第１立設部７８により構成された部分が、凹溝４の長手方向に沿って延在して設けられている。また、これら板部７８、８８は、前述した凹溝４の幅方向（矢印Ｘ）に沿って延在（突出）しており、これら板部７８、８８は、互いに平行に設けられている。また、これら板部７８、８８は、前記羽部８４、８５（板部８１、８２）とも平行に設けられている。
【００４３】
上記一対の第３立設部７６は、図６に示すように、立設部７７、７９と平行に設けられている。また、同図に示すように、第１部材７Ａに第２部材７Ｂが組み付けられると、各第３立設部７６と、第２立設部７９との間には、第２部材７Ｂの後述する第２の側板部９２が侵入する。また、一対の第３立設部７６それぞれは、図５、図６に示すように、上側立設部７６ａと、前記上側立設部７６ａの下側に位置する下側立設部７６ｂと、を備えている。上記複数の立設部７６ａ、７６ｂは、前記長手方向（矢印Ｙ方向）に沿って、互いに間隔をあけて設けられ、互いの間に第２立設部７９が設けられている。また、一対の上側立設部７６ａそれぞれの互いに離れた側の表面には、ロック部７２が設けられている。
【００４４】
上記一対の係止部７５は、図２に示すように、第１板部８７の第２板部８８寄りの端部から、第２板部８８に亘って設けられている。
【００４５】
上記第１電線通し部７３は、図２に示すように、樋状に形成されており、前記長手方向（矢印Ｙ）に沿って直線状に延びている。
【００４６】
上記第２部材７Ｂは、図５などに示すように、第２の浸入防止部９０と、前記第２の浸入防止部９０の下面側に連なる第２電線通し部７３と、を一体に備えている。
【００４７】
上記第２の浸入防止部９０は、図５、図６に示すように、第１部材７Ａの第１の平板部８０と相対する位置に設けられ、前述した凹溝４の底壁部４ａに重ねられる第２の平板部９１と、前記第２の平板部９１に連なり、前述した凹溝４の各側壁部４ｂそれぞれに重ねられる一対の第２側板部９２と、前記一対の第２側板部９２それぞれに設けられ、前述した第１部材７Ａのロック部７２それぞれに係止する一対のロック受け部９４と、を備えている。
【００４８】
上記一対の第２側板部９２は、第１部材７Ａに第２部材７Ｂが組み付けられると、前述した第１部材７Ａの立設部７９、７６間に侵入する。また、各第２側板部９２が、前述した第１部材７Ａの立設部７９、７６間に侵入すると、前述した第１部材７Ａのロック部７２に、ロック受け部９４が係止する。
【００４９】
上記第２電線通し部９３は、樋状に設けられている。また、この第２電線通し部９３は、前述した第１部材７Ａに第２部材７Ｂが組み付けられると、これら電線通し部７３、９３は筒状に形成される。また、これら電線通し部７３、９３の内側には、電気部品に接続された電線が通される。さらに、これら電線通し部７３、９３の内側に電気部品に接続された電線が通された状態で、粘着テープなどの固定部材が、該電線通し部７１、９２と電線との外周に、電線通し部７１、９２から電線に亘って隙き間なく連続して巻きつけられる。
【００５０】
上述した電気接続箱１の組立手順について説明する。電線の一端が接続された各電気部品をカセットブロック６に装着して、各電気部品が装着されたカセットブロック６を本体部３に収容する。または、各電気部品が装着されたカセットブロック６を本体部３に収容した後、電線の一端を各電気部品に接続してもよい。この際、カセットブロック６は、装着されたリレーやヒューズ等の電気部品が、本体部３の上面２ａ側に位置する向きで、本体部３の内側に収容されている。次に、一端が電気部品に接続された電線の他端側を、本体部３の上面２ａ側から引き出した後、当該電線の他端側をサイドカバー７の部材７Ａ、７Ｂ間に位置付けて、これら部材７Ａ、７Ｂを互いに近付ける。すると、第１部材７Ａのロック部７２が、第２部材７Ｂのロック受け部９４に係止して、部材７Ａ、７Ｂが互いに組み付けられることとなり、サイドカバー７が組み立てられる。この際、サイドカバー７の内側には、一端が各電気部品に接続され、他端側が本体部３（箱本体２）の外部に引き出された電線が通されている。さらに、電線がサイドカバー７の内側に通された状態で、該凹溝４の底壁部４ａに第２部材７Ｂの第２の平板部９１を相対する位置に近付けるとともに、一対の側壁部４ｂそれぞれに各第２の側板部９２を近付けて、サイドカバー７を凹溝４の長手方向（矢印Ｙ）に沿ってスライドさせる。すると、サイドカバー７の係止部７５が、本体部３の係止受け部３９に係止するとともに、サイドカバー７は、凹溝４を塞ぐように、本体部３（箱本体２）に取り付けられる。また、サイドカバー７は、本体部３（箱本体２）に取り付けられると、基壁３２と、第３板部８１とは面一に連なっているとともに、中壁３３と、第４板部８２とは面一に連なっている。さらに、サイドカバー７に設けられた第２板部７８と、奥側平行板部７８との間には、本体部３に設けられた侵入壁３６が侵入し、本体部３に設けられた凸部３７、３８は、前記第２板部７８の端面と相対する位置に設けられている。さらに、サイドカバー７の内側に電線が通された状態で、固定部材としての粘着テープ８を、通し部７３、９３と電線との外周に、通し部７３、９３から、電線に亘って隙き間なく連続して巻きつける。最後に、本体部３に、該本体部３の上面２ａを覆うようにアッパーカバーを取り付けた後、本体部３に、該本体部３の下面を覆うようにロアカバー５を取り付けると、箱本体２が組み立てられるとともに、箱本体２には、サイドカバー７が取り付けられることとなり、電気接続箱１が完成する。
【００５１】
上述した実施形態によれば、外壁３１に凹に形成されかつ直線状に延びた凹溝４が設けられた箱本体２と、前記凹溝４の長手方向（矢印Ｙ）に沿ってスライドされることで、前記箱本体２に取り付けられるとともに、該箱本体２に取り付けられると前記凹溝４を塞ぐサイドカバー７と、を備えた電気接続箱１において、前記サイドカバー７には、前記外壁３１と面一に形成された板部８１、８２が設けられ、前記板部８１、８２には、当該板部８１、８２から前記凹溝４の幅方向（矢印Ｘ）に沿って突出した羽部８４、８５が設けられているので、自動車が高圧洗浄された際においても、前記羽部８４、８５が、前記サイドカバー７と前記凹溝４との隙き間を前記凹溝４の長手方向（矢印Ｙ）に沿ってかけ上がる水などの液体をはねかえすこととなり、よって、前記箱本体２内に前記水が侵入することを防止することとなり、よって、自動車が高圧洗浄された際においても、防水性を確保した電気接続箱１を提供するができる。
【００５２】
また、前記サイドカバー７には、前記凹溝４の幅方向（矢印Ｘ）に沿って突出し、互いに間隔をあけて設けられた一対の平行部としての一対の板部７８、８８と、これら一対の一対の板部７８、８８同士を連結する連結部としての第１立設部７７と、が設けられ、前記外壁３１には、前記一対の板部７８、８８間に侵入し、前記第１立設部７７と相対する位置に位置付けられる侵入壁３６が設けられているので、自動車が高圧洗浄された際に、加圧された水は、まず、侵入壁３６にぶつかり（突き当たり）、該侵入壁３６に突き当たることで勢いが低減された後の前記水は、前記第１立設部７７に突き当たり、該第１立設部７７に突き当たることで勢いが低減された後の前記水は、前記一対の板部７８、８８のうち内側に位置する他方の平行部としての奥側平行部７８に突き当たることとなり、該奥側平行部７８に突き当たることで、前記水の勢いが低減されることとなり、よって、前記水の勢いを低減させる（なくす）ことで、前記水が箱本体２内に侵入することを防止することとなり、よって、より一層、防水性の強化を図ることができる。
【００５３】
また、前記侵入壁３６から前記箱本体２の外方向に凸に形成された凸部３７、３８が設けられ、前記凸部３７、３８は、前記一対の平行部としての一対の板部７８、８８のうち外側に設けられた一方の前記平行部としての第２板部８８の端面と相対する位置に設けられているので、前記凸部３７、３８が、前記侵入壁３６と前記第２板部８８との隙き間を覆うこととなり、よって、水などの液体が箱本体２内に侵入することを防止することとなり、よって、より一層、防水性の強化を図ることができる。
【００５４】
なお、上述した実施形態によれば、複数の羽部８４、８５が設けられているが、本発明はこれに限ったものではなく、複数の羽部８４、８５のうちいずれか一方が設けられていればよい。
【００５５】
また、上述した実施形態によれば、複数の凸部３７、３８が設けられているが、本発明はこれに限ったものではなく、複数の凸部３７、３８のうちいずれか一方が設けられていればよい。
【００５６】
また、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００５７】
１  電気接続箱
２  箱本体
７  サイドカバー
３１  外壁
３６  侵入壁
３７  第１凸部（凸部）
３８  第２凸部（凸部）
７７  第１立設部（連結部）
７８  奥側平行板部（他方の平行部）
８１  第３板部（板部）
８２  第４板部（板部）
８４、８５  羽部
８８  第２板部（一方の平行部）
矢印Ｙ方向  長手方向
矢印Ｘ方向  幅方向
【図１】
0005619514.tif 000002
【図２】
0005619514.tif 000003
【図３】
0005619514.tif 000004
【図４】
0005619514.tif 000005
【図５】
0005619514.tif 000006
【図６】
0005619514.tif 000007
【図７】
0005619514.tif 000008
【図８】
0005619514.tif 000009
【図９】
0005619514.tif 000010
【図１０】
0005619514.tif 000011